(57)【要約】【課題】ホームページのアドレス移設時において、閲覧者がブックマーク登録の未更新、検索エンジンやディレクトリ・サービスの更新間隔によって生じるホームページ閲覧不可状態を効率的に低減させる手段を提供する。【解決手段】ｗｅｂを介してホームページ開設者から入力されたアドレスに基づいてユニークな管理番号を生成し、両者を関連付けてＵＲＬデータベース１３に登録すると共に、開設者には当該管理番号を通知する。開設者が移設等により当該アドレスを変更する場合には、付与した管理番号の入力と照合を条件に移設先のアドレスの入力とデータ更新を認める。ホームページ閲覧者は、開設者のホームページ上で予めタイトルタグ等に含まれる管理番号を基づき前記データベースにアクセスすることで移設先のアドレスを容易に入手できる。【選択図】      図１
2004265124.tif 000002
【特許請求の範囲】
【請求項１】
インターネットに接続されるホームページアドレス管理装置によりインターネット上に開設されるホームページのアドレスに関する更新情報の供給を行うホームページアドレスの供給方法において、
ホームページ開設者に対しては、
ホームページのアドレスの入力を促し、入力されたアドレスに対してユニークな管理番号を生成し、当該アドレスを当該管理番号と関連付けて新規に記憶する一方、当該管理番号を当該ホームページ開設者に通知する段階と、更に当該ホームページ開設者からアドレスの変更を受け付ける際には、通知済みの管理番号とホームページの移設先アドレスの入力を促し、入力された移設先アドレスを当該管理番号と関連付けて更新記憶する段階とを備え、
またホームページ閲覧者に対しては、
ホームページ上で取得した管理番号の入力を促し、入力された管理番号をキーとして関連付けられたアドレスを読み出す段階と、
読み出されたアドレスを、前記ホームページ閲覧者に対して出力する段階とを備えることを特徴とするホームページアドレスの供給方法。
【請求項２】
前記ホームページ開設者に対し、開設者自身のパスワードの入力を促す段階と、
入力されたパスワードによって、前記移設先アドレスの入力を許可するか否かを決定する段階とを備えることを特徴とする請求項１記載のホームページアドレスアドレスの供給方法。
【請求項３】
当該管理番号を当該ホームページ開設者に通知する段階は、インターネットを介して通知することを特徴とする請求項１又は２記載のホームページアドレスの供給方法。
【発明の詳細な説明】
【０００１】
【発明の属する技術分野】
本発明は、インターネットにおけるホームページの運営に関し、  特にホームページの移設時においてリンク切れによって生じる閲覧不可状態の低減方法に関する。
【０００２】
【従来の技術】
通常、個人が運営しているホームページは、プロバイダが加入者に対して提供するホームページ用サーバまたは、無料あるいは低額にて利用できるインターネット上のサーバを利用していることが多い。
【０００３】
個人のホームページ管理者は、より良い条件のプロバイダに契約変更したり、サービスが受けられなくなったサーバから別のサーバへの移設を繰り返すことで、  ホームページを継続運営しており、その都度、ホームページのＵＲＬ（Ｕｎｉｆｏｒｍ  Ｒｅｓｏｕｒｓｅ  Ｌｏｃａｔｏｒ）も変更となる。
【０００４】
この移設によってホームページ閲覧者は、移設前のホームページが削除された時点で閲覧することが出来なくなることから、移設前のホームページがリンクされているホームページ管理者や連絡が可能な閲覧者に対してメール等で移設後のＵＲＬを連絡したり、移設前のホームページを暫らく残して移設後のＵＲＬを掲載する等のできる限りの閲覧不可状態（ホームページ閲覧ソフトウェアにて「Ｎｏｔ  Ｆｏｕｎｄ」、「ページが見つかりません」等の表示が出る）の回避を実施している。
【０００５】
しかしながら、不特定多数の閲覧者を対象としたホームページの場合は、全員に対してメール等で個別に移設後のＵＲＬを通知することは非現実的であり、移設前のホームページ中に移設後のＵＲＬを掲載していたとしても、掲載期間中に閲覧確認してもらえるとは限らない。また、閲覧したとしてもブックマーク更新やリンク更新を実施してくれるとは限らない。
【０００６】
そこで、ホームページが移設した場合であっても閲覧者が当該ホームページにアクセスできるものとして、ネットワークに接続されたホームページのアドレス管理装置が知られている。
【０００７】
例えば、関連する先行技術として特開２０００−２０７４１８号公報（以下、公知例１という。）に記載される発明が知られている。この発明によれば、インターネットホームページブラウザシステムにおいて、登録しているホームページが移動した場合、ホームページ上のキーワードを検索することで移動先のＵＲＬを検出し、登録情報の更新を自動で行うことを特徴としている。
【０００８】
さらに、特開２００１−２７３１８５号公報（以下、公知例２という。）に記載される発明が知られている。この発明によれば、ホームページアドレス登録装置において、ホームページアドレスに対応付けてホームページの検索対象データを記憶し、当該アドレスを周期的に自動検知し、アドレス不存在と判断した場合には対応する検索対象データに対応するホームページアドレスを検索し、当該アドレスを更新することを特徴としている。
【０００９】
【特許文献１】
特開２０００−２０７４１８号公報
【特許文献２】
特開２００１−２７３１８５号公報
【００１０】
【発明が解決しようとする課題】
しかしながら、先行技術に示されるホームページ管理システムでは、移設後のホームページのＵＲＬを自動的に検索したり、定期的に監視する装置を用いる場合では、膨大な量のホームページを常時トレースする必要がある。そのため、データベース更新に大規模なシステムが必要とされる一方、検索した結果が必ずしも目的とする移設後のホームページのＵＲＬとは限らないため信頼性が低いという問題がある。移設後のホームページには、タイトルに変更が加えられたり、同一名や近似したタイトルのホームページが多く存在している場合は、一目で目的とする移設後のホームページを探し出せないほどの検索候補リストを挙げてしまったり、全く関係ないホームページを検索結果として出力しまうからである。
【００１１】
そこで、本発明では、下記の３つを目的としている。第１の目的は、ホームページ開設者がホームページの移設を予告無く何度も繰り返しても、不特定多数の閲覧者が短時間で確実に閲覧を可能とする手段を提供することにある。
【００１２】
第２の目的は、ホームページ開設者が移設後のホームページのＵＲＬ情報を簡単な操作によって不特定多数の閲覧者に通知する手段を提供することにある。
【００１３】
第３の目的は、ホームページ開設者が一切関わらない（第二、第三者による）場合でも、開設者の代理として上記手段を提供することを可能とする。
【００１４】
【課題を解決するための手段】
請求項１記載の発明によれば、インターネットに接続されるホームページアドレス管理装置によりインターネット上に開設されるホームページのアドレスに関する更新情報の供給を行うホームページアドレスの供給方法において、ホームページ開設者に対しては、ホームページのアドレスの入力を促し、入力されたアドレスに対してユニークな管理番号を生成し、当該アドレスを当該管理番号と関連付けて新規に記憶する一方、当該管理番号を当該ホームページ開設者に通知する段階と、更に当該ホームページ開設者からアドレスの変更を受け付ける際には、通知済みの管理番号とホームページの移設先アドレスの入力を促し、入力された移設先アドレスを当該管理番号と関連付けて更新記憶する段階とを備え、またホームページ閲覧者に対しては、ホームページ上で取得した管理番号の入力を促し、入力された管理番号をキーとして関連付けられたアドレスを読み出す段階と、読み出されたアドレスを、前記ホームページ閲覧者に対して出力する段階とを備えることを特徴とするホームページアドレスの供給方法を得ることができる。
【００１５】
また、請求項２記載の発明によれば、前記ホームページ開設者に対し、開設者自身のパスワードの入力を促す段階と、入力されたパスワードによって、前記移設先アドレスの入力を許可するか否かを決定する段階とを備えることを特徴とする請求項１記載のホームページアドレスアドレスの供給方法を得ることができる。
【００１６】
更に、請求項３記載の発明によれば、当該管理番号を当該ホームページ開設者に通知する段階は、インターネットを介して通知することを特徴とする請求項１又は２記載のホームページアドレスの供給方法を得ることができる。
【００１７】
【発明の実施の形態】
以下、図面を参照して、この発明の好適な実施の形態を例示的に説明する。ただし、この実施の形態に記載されている構成部品の寸法、材質、その相対配置などは、特に特定的な記載がない限りは、この発明の範囲をそれらのみに限定する趣旨のものではない。
【００１８】
図１は、本発明に係る実施形態を適用した場合のネットワーク概略図である。インターネット等のネットワーク上には、それぞれのプロバイダＡ／Ｂが管理するｗｅｂサーバ２１、ｗｅｂサーバ２２が接続されており、当該プロバイダの提供を受けて個人は自己のホームページを開設する。この個人をホームページ開設者とし、所有する端末をホームページ端末３とする。そして、ホームページ閲覧者４は、ＷＷＷ（Ｗｏｒｌｄ  Ｗｉｄｅ  Ｗｅｂ）上の各種ホームページを閲覧することができる。
【００１９】
ホームページ開設者のＵＲＬは、ＵＲＬデータ管理サービス業者によって管理されるＵＲＬデータ管理装置１にＵＲＬ情報を登録している。そして、ホームページ開設者がプロバイダＡからプロバイダＢへ移設した場合、変更後のＵＲＬに前記登録情報を更新する。
【００２０】
次に、ＵＲＬデータ管理装置１の構成について図２を用いて説明する。ＵＲＬデータ管理装置１は、ｗｅｂサーバ処理部１１と、データベース処理部１２と、ＵＲＬデータベースファイル１３とから構成される。
【００２１】
ＵＲＬデータ管理装置１には、ホームページ開設者が開設するホームページのＵＲＬの新規登録及び更新サービスと、一般ユーザから受け付けるＵＲＬ検索機能の３つを有し、自己のホームページのＵＲＬ（例ｈｔｔｐ：／／ｗｗｗ．ｕｒｌ．ｃｏ．ｊｐ）上において、図４に示すＵＲＬ新規登録画面、図５に示すＵＲＬ更新画面、及び図６に示すＵＲＬ検索画面を開設・公開しており、各種インターネット上のポータルサイトにて本サービスを広告掲載している。これらのサービスは、データベース処理部１２とｗｅｂサーバ処理部１１とを連携し、ＵＲＬデータベース・ファイル１３に対するアクセスすることで実現している。
【００２２】
以下、これらのサービス機能について図３に示すフローチャートを使用して説明する。
【００２３】
まずは、ホームページのＵＲＬを新規登録する場合の処理手順について説明する。ホームページ開設者は、自己のホームページのＵＲＬを登録するため、ＵＲＬデータ管理装置１のホームページを参照し、図４に示す新規登録画面を表示する。そして、「登録ＵＲＬ」欄に自己のホームページのＵＲＬ３４１（例  ｈｔｔｐ：／／ｗｗｗ．ａａａａ．ｃｏ．ｊｐ／ｘｘ−ｎｉｋｋｉ／）を入力し、画面４０１の「登録」ボタンをクリックする（ステップＳ１）。入力されたＵＲＬ３４１は、ネットワークを介してデータベース処理部１２へ通知され、入力されたＵＲＬ３４１に対するユニークな管理番号３４３とデータ更新時に認証証として用いるパスワード３４４を自動生成する（ステップＳ２）とともにし、当該ＵＲＬをＵＲＬデータベース・ファイル１３に登録３０３する（ステップＳ３）。
【００２４】
生成された管理番号とパスワードは、画面４０２に示すとおりホームページ開設者の端末へ表示される（ステップＳ４）。これをもって、ホームページ開設者は、自己のＵＲＬの管理番号等を知ることができる。
【００２５】
ホームページ開設者は、取得したＵＲＬ管理番号３４３を、現在ホームページ開設者が利用契約しているプロバイダＢのＷｅｂサーバ２２にホームページのＵＲＬ３４１を登録する前にタイトル・タグに含ませて掲載しておく。このホームページがプロバイダＢのＷｅｂサーバ２２への登録される事によってＵＲＬ管理番号３４３は、ホームページのタイトル文に含まれる形でインターネット上にて一般公開されることになる。また、一般に公開されたホームページ開設者が運営するホームページのＵＲＬ３４１は、インターネット上の検索エンジンによって、タイトル文等の情報が検索エンジンのデータベースに登録される。また、ホームページ開設者は、インターネット上のディレクトリ・サービスのホームページへホームページのＵＲＬ３４１を登録することで、  不特定多数のホームページ閲覧者によってユーザ端末４から閲覧されることになる。ホームページ閲覧者は、ホームページ開設者が運営するホームページのＵＲＬ３４１の内容に興味を持った場合、  ユーザ端末４にて稼動中のホームページ閲覧ソフトウェアのブックマーク機能画面を利用して、  次回の閲覧が容易に行なえるようにＵＲＬ３４１をタイトル文を含めてユーザ端末のメモリ装置に記憶する。
【００２６】
次に、上述したＵＲＬの登録処理後の移設作業について図３に示す登録更新処理を用いて説明する。
【００２７】
ホームページ開設者は、現在加入しているプロバイダＢより使用契約条件の良いプロバイダＡを知り、図７に示すホームページ７００をホームページ７０１の表示内容に変更してプロバイダＡのＷｅｂサーバ２に移設する準備を行う。
【００２８】
この移設によってホームページ７００のＵＲＬ３４１は、ＵＲＬ３４２に変更が必要となり、  プロバイダ２０４解約日の１ヶ月前に猶予を設けて、現状のホームページ７００上に移設先のＵＲＬ３４２を掲載しておき、これと同時に、移設後のホームページ７０１のタイトル・タグに管理番号を含ませ、プロバイダＡへの移設を実施した。
【００２９】
これに続いてホームページ開設者は、ＵＲＬデータ管理サービス業者のホームページ３４０を閲覧し、図３の登録更新の手順に従って、現在登録されている移設前のホームページ７００のＵＲＬ３４１を移設後のホームページ７０１のＵＲＬ３４２に変更する作業を実施する。
【００３０】
本変更作業では、先ず現在登録されているホームページ７００のＵＲＬ３４１に対応するＵＲＬ管理番号３４３と認証パスワード３４４及び、移設後のホームページ７０１のＵＲＬ３４２を更新画面５００に入力（ステップＳ５〜７）することで、ＵＲＬデータベース操作の認証チェックを受ける（ステップＳ８）。認証された場合は、更新中の画面５０１の表示を経て、ＵＲＬデータベース・ファイル１３におけるＵＲＬ３４１がＵＲＬ３４２に変更処理３１５され、図５に示す更新完了画面５０２が表示される。
【００３１】
ホームページの移設後、ホームページ閲覧者２０６は、ホームページ７００のＵＲＬ３４１がホームページ７０１のＵＲＬ３４２に移設されたことを知らないまま、ブックマーク画面７０２を用いてホームページ７００を閲覧しようとした場合、既に移設終了までの猶予が経過してホームページ７００がプロバイダＢのＷｅｂサーバ２２から削除されていたことから閲覧不可状態となり、エラー画面７０３が表示された。
【００３２】
この閲覧不可のエラーを回避するためにホームページ閲覧者２０６は、  ＵＲＬデータ管理サービス業者２０１のホームページ３４０を閲覧し、図３の検索手順に従って、図６に示す検索画面６００にブックマーク画面７０３のタイトル文に含まれたＵＲＬ管理番号３４３（ＧＨ０２３９８）を入力３２１すると（ステップＳ１２）、検索中画面６０１となる。
【００３３】
データベース処理１００は、ＵＲＬデータベース・ファイル１３の中から  ＵＲＬ管理番号３４３に新たに対応しているＵＲＬ３４２を検索し（ステップＳ１１）、移設後のホームページ７０１のＵＲＬ３４２を検索結果として検索画面６０２に表示する（ステップＳ１２）。
【００３４】
ホームページ閲覧者は、検索画面６０２によって得られた移設後のホームページ７０１のＵＲＬ３４２を、ホームページ閲覧ソフトウェアのブックマーク機能に更新登録し、  ホームページ７０１を以後閲覧不可となることなく閲覧することができる。
【００３５】
【発明の効果】
本発明によれば、下記の効果を得ることができる。第１の効果は、閲覧不可状態となる期間を最小限にとどめることが可能となるため、本発明によるホームページアドレスアドレスの供給方法を利用したホームページ開設者は、ホームページ閲覧者に対して満足度の高いホームページの継続提供が可能となることである。その理由は、この供給方法を利用するホームページ開設者がホームページのＵＲＬを急遽変更したとしても、アドレスの管理番号を手掛かりとして最新のＵＲＬを容易に知ることができるからである。
【図面の簡単な説明】
【図１】本発明の実施形態を適用したＵＲＬデータ管理装置のブロック構成例である。
【図２】本発明の実施形態を適用するネットワーク構成図である。
【図３】本発明の実施形態にかかるＵＲＬの登録・更新、及び検索処理を紙得ｍすフローチャートである。
【図４】ＵＲＬの新規登録画面の例を示す図である。
【図５】ＵＲＬの更新画面の例を示す図である。
【図６】ＵＲＬの検索画面の例を示す図である。
【図７】本発明の実施形態を利用する際にホームページ開設者が閲覧者に配信するホームページ画面の例を示す図である。
【符号の説明】
１  ＵＲＬデータ管理装置
１１  ｗｅｂサーバ処理部
１２  データベース処理部
１３  ＵＲＬデータベースファイル
２１  ｗｅｂサーバＡ
２２  ｗｅｂサーバＢ
３  ホームページ端末
４  ユーザ端末
【図１】
2004265124.tif 000003
【図２】
2004265124.tif 000004
【図３】
2004265124.tif 000005
【図４】
2004265124.tif 000006
【図５】
2004265124.tif 000007
【図６】
2004265124.tif 000008
【図７】
2004265124.tif 000009